(57)【特許請求の範囲】
【請求項１】
複数の入力チャンネルから信号が選択的に第１の複数バスおよび第２の複数バスに送られて、送られた信号を該第１の複数バスおよび該第２の複数バスにおいてそれぞれミキシングして、該第１の複数バスおよび該第２の複数バスでミキシングされた複数の信号を対応する複数の出力チャンネルに選択的に出力するディジタル・ミキサであって、
前記第１の複数バスおよび前記第２の複数バスは、それぞれ、選択されたサラウンド・モードに対応する多チャンネルのサラウンド信号を構成する各チャンネルの信号を前記ミキシングにより得るサラウンドミキシングを行い、得られた多チャンネルのサラウンド信号を前記出力チャンネルから出力する場合に、
前記複数の入力チャンネルの一部のチャンネルは、それぞれ当該入力チャンネルの信号に対応して、当該入力チャンネルの設定された定位位置に応じたレベル制御を施して前記第１の複数バスに送るとともに、同信号に対して、同定位位置に応じた送出レベル制御を施して前記第２の複数バスに送り、
前記第２の複数バスは、前記一部の入力チャンネルから入力する前記送出レベル制御を施された信号を、前記選択されたサラウンド・モードに対応する多チャンネルのサラウンド信号を得るようサラウンドミキシングし、得られたサラウンド信号を対応する出力チャンネルを介して、該サラウンド信号に効果を付与するエフェクタに出力し、
前記複数の入力チャンネルのうち他の一部のチャンネルは、前記エフェクタで効果が付与されたサラウンド信号を入力して、該サラウンド信号の各々を前記第１の複数バスのうち対応するバスに送り、
前記第１の複数バスは、前記一部の入力チャンネルから入力する前記レベル制御を施された信号と、前記他の一部のチャンネルから入力する信号とをサラウンドミキシングし、得られたサラウンド信号を対応する出力チャンネルを介して外部に出力するようにされていることを特徴とするディジタル・ミキサ。
【請求項２】
前記第１の複数バスに対して選択されたサラウンド・モードと、前記第２の複数バスに対して選択されたサラウンド・モードとが異なるサラウンド・モードとされていることを特徴とする請求項１記載のディジタル・ミキサ。
【請求項３】
信号を入力する複数の入力チャンネルと、
１つ以上の入力される信号を、多チャンネルのサラウンド信号を構成する各チャンネルの信号を得るようサラウンドミキシングして出力する複数バスからなる第１バスセクションと、
１つ以上の入力される信号をミキシングして出力する複数バスからなる第２バスセクションと、
それぞれの前記入力チャンネルの２次元座標における定位位置を指定する第１指定手段と、
それぞれの前記入力チャンネルから前記第２バスセクションの各バスへ信号を出力する際の送出レベルをそれぞれ指定する第２指定手段と、
前記第２バスセクションの定位フォローのオン／オフを指定する第３指定手段とを備え、
複数の前記入力チャンネルは、それぞれ、入力信号に対して、前記第１指定手段により指定された当該チャンネルの定位位置に応じたレベル制御を施して前記第１バスセクションの各バスへ出力すると共に、同入力信号に対し前記第２指定手段により指定された送出レベルに応じたレベル制御を施して前記第２バスセクションの各バスへ出力し、
前記第３指定手段により、定位フォローのオンが指定されている場合、前記第２指定手段は、各入力チャンネルから前記第２バスセクションの各バスへ出力する際の前記送出レベルを当該チャンネルの前記定位位置に応じてそれぞれ指定し、
定位フォローのオフが指定されている場合、前記第２指定手段は、各入力チャンネルから前記第２バスセクションの各バスへ出力する際の前記送出レベルを前記定位位置とは関係なく指定するようにしたことを特徴とするディジタル・ミキサ。
【請求項４】
信号を入力する複数の入力チャンネルと、
１つ以上の入力される信号をミキシングして出力する複数バスからなる第１バスセクションと、
１つ以上の入力される信号をミキシングして出力する複数バスからなる第２バスセクションと、
前記第１バスセクションに対して第１サラウンドモードを指定する第１指定手段と、
それぞれの前記入力チャンネルの２次元座標における定位位置を指定する第２指定手段と、
前記第２バスセクションに対して第２サラウンドモードを指定する第３指定手段とを備え、
複数の前記入力チャンネルは、それぞれ、入力信号に対して前記第１指定手段により指定された前記第１サラウンドモードと前記第２指定手段により指定された当該チャンネルの定位位置とに応じた送出レベル制御を施して前記第１バスセクションの各バスへ出力すると共に、
同入力信号に対し前記第３指定手段により指定された前記第２サラウンドモ一ドと前記第２指定手段により指定された当該チャンネルの定位位置とに応じた送出レベル制御を施して前記第２バスセクションの各バスへ出力することを特徴とするディジタル・ミキサ。
【請求項５】
前記第２指定手段は、各入力チャンネル毎に前記第２バスセクションの複数バスに対応した複数操作子を備えており、前記第３指定手段により前記定位フォローのオフが指定されている場合、前記第２指定手段は、該複数操作子それぞれの操作に応じて、操作された操作子に対応するバスへの送出レベルを制御することを特徴とする請求項３記載のディジタル・ミキサ。
【請求項６】
前記第３指定手段による前記定位フォローのオン／オフ指定は、前記第２バスセクションのバスのペア毎の部分的なオン／オフ指定で構成されており、
前記第２指定手段は、前記部分的なオン／オフ指定がオンに指定されたバスのペアについては、各入力チャンネルから当該ペアの各バスへ送出する際の送出レベルを当該チャンネルの前記定位位置に応じて指定し、前記部分的なオン／オフ指定がオフに指定されたバスのペアについては、各入力チャンネルから当該ペアの各バスへ送出する際の送出レベルを当該チャンネルの前記定位位置とは関係なく指定するようにしたことを特徴とする請求項３記載のディジタル・ミキサ。
【発明の詳細な説明】
【０００１】
【発明が属する技術分野】
本発明は、所定のサラウンド・モードにおいてエフェクトの付与されたミキシング信号を得ることのできるディジタル・ミキサに関する。
【０００２】
【従来の技術】
従来、多数のマイクロホンあるいは電気・電子楽器などから出力されるオーディオ信号のレベルや周波数特性を調整し、ミキシングしていくつかのミキシング・グループにまとめてパワーアンプに送り出すミキシング・コンソールが知られている。ミキシング・コンソールを操作するオペレータは、楽器音や歌唱の各オーディオ信号の音量や音色を、ミキシング・コンソールに備えられた各種パネル操作子を操作することにより、演奏を最もふさわしく表現していると思われる状態に調整している。ミキシング・コンソールは、入力信号系列として複数のマイク／ライン入力の入力チャンネルを備え、入力信号系列をプログラムしてミキシングし、出力信号系列である複数の出力チャンネルに出力している。入力信号系列における各入力チャンネルの信号は、一般にヘッドアンプにより増幅されてミキシング処理部に出力される。そして、ミキシング処理部において周波数特性およびレベルが調整されて、プログラムされた組み合わせにおいてミキシングされる。次いで、出力フェーダにより任意の出力レベルになるように設定されて出力チャンネルの１つに出力される。
【０００３】
【発明が解決しようとする課題】
このようなミキシング・コンソールは、劇場、コンサートホールにおいて使用されたり、コンパクト・ディスク（ＣＤ）やＤＶＤ等に記録するための音楽ソースを作成するための録音スタジオ用機器として使用されている。例えば、コンサートホールにおけるミキシング・コンソールにおいては、ステージに多数のマイクが設置され演奏された楽器音や歌われた歌唱音がマイクを通して入力されるようになる。ミキシング・コンソールは、入力された多数のマイク／ライン信号のレベルや周波数特性を調整して所望の組み合わせでミキシングし、ミキシング出力のレベルを調整してスピーカを駆動するパワーアンプに出力するようにしている。このようなミキシング・コンソールにおいてミキシング処理をＤＳＰ等を使用してディジタル処理により行うようにしたディジタル・ミキサが知られている。
【０００４】
ところで、映画、劇場、ＤＶＤソフト等においては観客に臨場感を味あわせるように前方および後方に複数のスピーカを配置して臨場感の高い音場を生み出すようにしている。このような臨場感の高い音場を生み出すシステムはサラウンドシステムといわれ、ディジタル・ミキサにおいてもサラウンド効果を発揮することのできるミキシング信号を出力できるようにされている。サラウンドには種々のサラウンド・モードが提案されている。そのいくつかの概要を図１６および図１７に示す。
図１６（ａ）に示すサラウンド・モードはステレオであり、前方に左スピーカＬと右スピーカＲを配置して臨場感を得るようにしている。また、図１６（ｂ）に示すサラウンド・モードは（２＋２）チャンネルモードであり、前方に左スピーカＬと右スピーカＲとを配置すると共に、後方に左後スピーカＬｓと右後スピーカＲｓとを配置して臨場感を得るようにしている。さらに、図１６（ｃ）に示すサラウンド・モードは（３＋１）チャンネルモードであり、前方に左スピーカＬと右スピーカＲ、およびその中央にセンタースピーカＣとを配置すると共に、後方中央にリアスピーカＳを配置して臨場感を得るようにしている。
【０００５】
さらにまた、図１６（ｄ）に示すサラウンド・モードは５．１チャンネルモードであり、前方に左スピーカＬと右スピーカＲ、およびその中央にセンタースピーカＣとを配置すると共に、後方に左後スピーカＬｓと右後スピーカＲｓを配置し、さらにウーハ用スピーカＬＦＥを適所に配置して臨場感を得るようにしている。さらにまた、図１７（ａ）に示すサラウンド・モードは６．１チャンネルモードであり、前方に左スピーカＬと右スピーカＲ、およびその中央にセンタースピーカＣとを配置すると共に、後方に左後スピーカＬｓと右後スピーカＲｓ、およびその中央にリアセンタースピーカＣｓを配置し、さらにウーハ用スピーカＬＦＥを適所に配置して臨場感を得るようにしている。さらにまた、図１７（ｂ）に示すサラウンド・モードは７．１チャンネルモードであり、前方に左スピーカＬと右スピーカＲ、およびその中央にセンタースピーカＣ、左スピーカＬとセンタースピーカＣとの間にスピーカＬｃ、右スピーカＲとセンタースピーカＣとの間にスピーカＲｃとを配置すると共に、後方に左後スピーカＬｓと右後スピーカＲｓを配置し、さらにウーハ用スピーカＬＦＥを適所に配置して臨場感を得るようにしている。
【０００６】
従来のミキサにおいては、サラウンド・モードに応じた定位の制御は、ミキシングバスにおいて１セットだけ可能であり、例えばエフェクト付与用の出力にその定位を反映させようとする場合には、そのための設定をサラウンド・モードの助けなしにもう１セット分独立して行なわなければならなかった。サラウンド・モードに応じた定位の制御では、例えば、５．１チャンネルのＬ、Ｒ、Ｃ、Ｌｓ、Ｒｓのレベルを１つの操作子で制御できるようになっている。それに対し、サラウンド・モードを使えない場合は、５．１チャンネルのＬ、Ｒ、Ｃ、Ｌｓ、Ｒｓのレベル設定を１つずつ独立して行なわなければならないという問題点があった。
【０００７】
また、いずれかのサラウンド・モードが選択された際に、コーラスやフランジ等のエフェクトを付与したい場合がある。しかしながら、一般にエフェクタで選択可能な複数エフェクトの中にはディジタル・ミキサで選択したサラウンド・モードに対応した入力構成のエフェクトが必ずあるとは限らず、また、該サラウンド・モードに対応した入力構成のエフェクトを必ず選択しなければならないという訳でもない。従って、ディジタル・ミキサで選択したサラウンド・モードと、エフェクタで選択されたエフェクトの入力構成が異なる場合への対応が望まれていた。
【０００８】
そこで、本発明は、メイン出力用のサラウンドミキシングに連動して、エフェクトの入力等に使用できるもう１セットのミキシングが行なえるようにしたディジタル・ミキサを提供することを目的としている。また、本発明は、メイン出力用のサラウンドミキシングとエフェクト等用のサラウンドミキシングで異なるミキシング・モードを選択できるディジタル・ミキサを提供することを目的としている。
【０００９】
【課題を解決するための手段】
上記目的を達成するために、本発明の第１のディジタル・ミキサは、複数の入力チャンネルから信号が選択的に第１の複数バスおよび第２の複数バスに送られて、送られた信号を該第１の複数バスおよび該第２の複数バスにおいてそれぞれミキシングして、該第１の複数バスおよび該第２の複数バスでミキシングされた複数の信号を対応する複数の出力チャンネルに選択的に出力するディジタル・ミキサであって、前記第１の複数バスおよび前記第２の複数バスは、それぞれ、選択されたサラウンド・モードに対応する多チャンネルのサラウンド信号を構成する各チャンネルの信号を前記ミキシングにより得るサラウンドミキシングを行い、得られた多チャンネルのサラウンド信号を前記出力チャンネルから出力する場合に、前記複数の入力チャンネルの一部のチャンネルは、それぞれ当該入力チャンネルの信号に対応して、当該入力チャンネルの設定された定位位置に応じたレベル制御を施して前記第１の複数バスに送るとともに、同信号に対して、同定位位置に応じた送出レベル制御を施して前記第２の複数バスに送り、前記第２の複数バスは、前記一部の入力チャンネルから入力する前記送出レベル制御を施された信号を、前記選択されたサラウンド・モードに対応する多チャンネルのサラウンド信号を得るようサラウンドミキシングし、得られたサラウンド信号を対応する出力チャンネルを介して、該サラウンド信号に効果を付与するエフェクタに出力し、前記複数の入力チャンネルのうち他の一部のチャンネルは、前記エフェクタで効果が付与されたサラウンド信号を入力して、該サラウンド信号の各々を前記第１の複数バスのうち対応するバスに送り、前記第１の複数バスは、前記一部の入力チャンネルから入力する前記レベル制御を施された信号と、前記他の一部のチャンネルから入力する信号とをサラウンドミキシングし、得られたサラウンド信号を対応する出力チャンネルを介して外部に出力するようにされている。
また、上記本発明のディジタル・ミキサにおいて、前記第１の複数バスに対して選択されたサラウンド・モードと、前記第２の複数バスに対して選択されたサラウンド・モードとが異なるサラウンド・モードとされていてもよい。
【００１０】
また、上記目的を達成することのできる本発明の第２のディジタル・ミキサは、信号を入力する複数の入力チャンネルと、１つ以上の入力される信号を、多チャンネルのサラウンド信号を構成する各チャンネルの信号を得るようサラウンドミキシングして出力する複数バスからなる第１バスセクションと、１つ以上の入力される信号をミキシングして出力する複数バスからなる第２バスセクションと、それぞれの前記入力チャンネルの２次元座標における定位位置を指定する第１指定手段と、それぞれの前記入力チャンネルから前記第２バスセクションの各バスへ信号を出力する際の送出レベルをそれぞれ指定する第２指定手段と、前記第２バスセクションの定位フォローのオン／オフを指定する第３指定手段とを備え、複数の前記入力チャンネルは、それぞれ、入力信号に対して、前記第１指定手段により指定された当該チャンネルの定位位置に応じたレベル制御を施して前記第１バスセクションの各バスへ出力すると共に、同入力信号に対し前記第２指定手段により指定された送出レベルに応じたレベル制御を施して前記第２バスセクションの各バスへ出力し、前記第３指定手段により、定位フォローのオンが指定されている場合、前記第２指定手段は、各入力チャンネルから前記第２バスセクションの各バスへ出力する際の前記送出レベルを当該チャンネルの前記定位位置に応じてそれぞれ指定し、定位フォローのオフが指定されている場合、前記第２指定手段は、各入力チャンネルから前記第２バスセクションの各バスへ出力する際の前記送出レベルを前記定位位置とは関係なく指定するようにしている。
【００１１】
さらに、上記目的を達成することのできる本発明の第３のディジタル・ミキサは、信号を入力する複数の入力チャンネルと、１つ以上の入力される信号をミキシングして出力する複数バスからなる第１バスセクションと、１つ以上の入力される信号をミキシングして出力する複数バスからなる第２バスセクションと、前記第１バスセクションに対して第１サラウンドモードを指定する第１指定手段と、それぞれの前記入力チャンネルの２次元座標における定位位置を指定する第２指定手段と、前記第２バスセクションに対して第２サラウンドモードを指定する第３指定手段とを備え、複数の前記入力チャンネルは、それぞれ、入力信号に対して前記第１指定手段により指定された前記第１サラウンドモードと前記第２指定手段により指定された当該チャンネルの定位位置とに応じた送出レベル制御を施して前記第１バスセクションの各バスへ出力すると共に、同入力信号に対し前記第３指定手段により指定された前記第２サラウンドモ一ドと前記第２指定手段により指定された当該チャンネルの定位位置とに応じた送出レベル制御を施して前記第２バスセクションの各バスへ出力するようにしている。
さらにまた、上記本発明の第２のディジタル・ミキサにおいて、前記第２指定手段は、各入力チャンネル毎に前記第２バスセクションの複数バスに対応した複数操作子を備えており、前記第３指定手段により前記定位フォローのオフが指定されている場合、前記第２指定手段は、該複数操作子それぞれの操作に応じて、操作された操作子に対応するバスへの送出レベルを制御するようにしてもよい。
さらにまた、上記本発明の第２のディジタル・ミキサにおいて、前記第３指定手段による前記定位フォローのオン／オフ指定は、前記第２バスセクションのバスのペア毎の部分的なオン／オフ指定で構成されており、前記第２指定手段は、前記部分的なオン／オフ指定がオンに指定されたバスのペアについては、各入力チャンネルから当該ペアの各バスへ送出する際の送出レベルを当該チャンネルの前記定位位置に応じて指定し、前記部分的なオン／オフ指定がオフに指定されたバスのペアについては、各入力チャンネルから当該ペアの各バスへ送出する際の送出レベルを当該チャンネルの前記定位位置とは関係なく指定するようにしてもよい。
【００１２】
このような本発明によれば、エフェクタが有するサラウンド・モードに応じたセンドレベルに調整して第２のバスに送り、第２のバスの出力を受けたエフェクタにおいてエフェクトを付与し、次いで、選択されたサラウンド・モードに応じた出力レベルに調整して第１のバスに送るようにしている。これにより、エフェクタにおいて選択されたサラウンド・モードが用意されていない場合でも、選択されたサラウンド・モードにおいてエフェクトを付与することができるようになる。
【００１３】
また、指定された定位位置に応じたレベル制御を各入力チャンネルに施して第１バスへ出力すると共に、定位フォローがオンである場合は、各入力チャンネルの送出レベルを指定されたサラウンドモードと当該チャンネルの定位位置に応じて制御して第２バスへ出力するようにしている。これにより、メイン出力用のサラウンドミキシングに連動して、エフェクトの入力等に使用できるもう１セットのミキシングが行なえるようになる。この場合、第１バスにおけるサラウンドモードと第２バスにおけるサラウンドモードとを独立して指定することができる。従って、第２のサラウンドモードに設定された第２バスからエフェクタに出力すると共にエフェクタから第１のサラウンドモードに設定された第１バスへ出力することにより、エフェクタにおいて第１のサラウンド・モードが用意されていない場合でも、第１バスからエフェクトが付与された第１のサラウンド・モードの信号を出力することができるようになる。
【００１４】
【発明の実施の形態】
本発明の実施の形態のディジタル・ミキサと、ディジタル・ミキサに接続される周辺機器との構成を図１に示す。
ディジタル・ミキサ１にはボーカル用のマイク２や楽器集音用のマイク３が接続され、これらのマイク２，３からの音声（歌唱音）や楽音が入力されている。マイク２，３はそれぞれ複数本とすることができる。また、ディジタル・ミキサ１にはモノラルの楽器４や２チャンネルステレオの楽器５が接続され、これらの楽器４，５からの楽音信号が入力されている。これらの楽器４，５はそれぞれ複数台とすることができる。さらに、ＤＶＤ（Digital Versatile Disk）ドライブ８からの音声や楽音のディジタル信号、および、２４トラックレコーダ６からの音声、楽音、効果音等が、ディジタル・ミキサ１に入力されている。ディジタル・ミキサ１では、これらの入力された音声や楽音の信号の内のアナログ信号をディジタル信号に変換して、周波数特性や遅延時間等を調整してミキシングバス等のバスに送るようにしている。同時に、ディジタルの入力信号の周波数特性や遅延時間等を調整してバスに送るようにしている。そして、バスにおいてミキシングされたミキシング信号は、さらに周波数特性や遅延時間および出力レベルが調整されて外部へ出力されるようになる。
【００１５】
ディジタル・ミキサ１から出力されたミキシング信号は、アンプ１０により電力増幅されてスピーカ１１から放音されるようになる。また、ミキシング信号を８トラックマスタレコーダ７に出力することにより、８トラックマスタレコーダ７において録音することができるようにされている。
図１には、ディジタル・ミキサ１においてサラウンド・モードとして５．１チャンネルモードが選択された場合が示されている。この場合には、ディジタル・ミキサ１から５．１チャンネルに対応するサラウンド信号が６チャンネル出力され、この６チャンネルの信号がアンプ１０によりそれぞれ電力増幅されて、図１６（ｄ）のように配置されている５．１チャンネルの６本のスピーカ１１から放音されるようになる。これにより、臨場感あふれる音場を生成することができるようになされている。
【００１６】
この場合に、５．１チャンネルのサラウンド信号にエフェクトを付与したい場合は、ディジタル・ミキサ１に内蔵されているエフェクタや外部に接続されている外部エフェクタ９により、エフェクトを付与することになる。しかしながら、外部エフェクタ９においてエフェクトを付与する場合に、エフェクトを付与する外部エフェクタで選択可能なエフェクトには、５ないし５．１チャンネルの入力を持つエフェクトが含まれているとは限らないし、また、仮に含まれていてもユーザがそのエフェクトを選択するとは限らない。ここでは、（２＋２）チャンネルモードのエフェクトが、外部エフェクタ９で選択されたとする。本発明にかかるディジタル・ミキサ１においては、後述するように外部エフェクタで（２＋２）チャンネルのエフェクトが選択されても、そのエフェクトへの信号をＡＵＸバスでミキシングして生成し、外部エフェクタから戻ってきた信号を最終的に５．１チャンネルモードのサラウンド信号に加算することができる。
【００１７】
次に、本発明の実施の形態にかかるディジタル・ミキサ１の構成を示すブロック図を図２に示す。
ディジタル・ミキサ１は、ディジタル・ミキサ１の全体の動作を制御すると共に、ミキシング用の操作子やサラウンド操作子の操作に応じて制御信号を生成しているＣＰＵ（Central Processing Unit）２１と、ＣＰＵ２１が実行するミキシング制御プログラムやサラウンド制御プログラム等の動作ソフトウェアが格納されている書き換え可能な不揮発性のフラッシュメモリ２２と、ＣＰＵ２１のワークエリアや各種データ等が記憶されるＲＡＭ（Random Access Memory）２３を備えている。このように、フラッシュメモリ２２に動作ソフトウェアを格納することにより、フラッシュメモリ２２内の動作ソフトウェアを書き換えることで、動作ソフトウェアをバージョンアップすることができる。また、信号処理部２４は多数のＤＳＰを用いて構成されており、ＣＰＵ２１の制御の元でミキシング処理やサラウンド処理を行っている。
【００１８】
さらに、ディジタル・ミキサ１の全ての波形の入力と全ての波形の出力は波形データインタフェース（波形Ｉ／Ｏ）２５で行われる。この波形データインタフェース２５は、波形入力用として複数チャンネルのアナログ入力ユニット、ステレオアナログ入力ユニットや複数チャンネルのステレオディジタル入力ユニットを備えており、波形出力用として複数チャンネルのアナログ出力ユニット、ステレオアナログ出力ユニット、複数チャンネルのステレオディジタル出力ユニットやモニタ用アナログ出力ユニットを備えている。
【００１９】
さらに、表示器２６は、液晶表示器とされており、この表示器２６にはミキシングされる各過程におけるディジタル信号のレベルをバーグラフ状に表示することができると共に、サラウンドの設定を行う際に２次元定位制御画面やサラウンド・モード設定画面、フォローサラウンド設定画面を表示することができる。さらに、電動フェーダ２７は後述するミキシングバス（ＭＩＸバス）やＡＵＸバスへ送り出される信号の出力レベルや、バスから出力された信号の出力レベルを調整するフェーダであり、手動および電動により調整することができる。パネル操作子２８は、各信号のイコライジング特性やＰＡＮ特性等を操作するための多数の操作子であり、サラウンドの設定を行う際に操作子の内のロータリエンコーダやジョイスティックを用いて、２次元定位位置を任意に制御することができるようになされている。さらにまた、その他のインタフェース（その他Ｉ／Ｏ）２９は、ＤＶＤドライブ８や外部エフェクタ９との間で信号を授受するためのインタフェースであり、バス３０は各ブロック間でデータをやりとりするための共通路である。
【００２０】
本発明にかかる図２に示す構成のディジタル・ミキサ１におけるミキシング処理およびサラウンド処理が行われる等価的な機能ブロック図を図３に示す。
図３において、アナログ入力ユニット（入力カードを含む）４０に入力されたアナログ信号は、内蔵されているＡＤ変換器によりディジタルオーディオ信号に変換されて入力パッチ４４に入力されている。また、ステレオアナログ入力ユニット（入力カードを含む）４１に入力されたステレオアナログ入力信号は、内蔵されているＡＤ変換器によりディジタルオーディオ信号に変換されて入力パッチ４４に入力されている。さらに、ステレオディジタル入力ユニット（入力カードを含む）４２に入力されたディジタル信号も入力パッチ４４に入力されている。なお、ディジタル・ミキサ１には８個のエフェクタからなる内蔵エフェクタ４３が用意されているが、この内蔵エフェクタ４３によりエフェクトの付与された信号も入力パッチ４４に入力されている。さらにまた、出力チャンネル部５１から出力される８チャンネルのミキシング出力チャンネルおよび１２チャンネルのＡＵＸ出力チャンネルの信号を、入力パッチ４４に入力できるようにされている。
【００２１】
入力パッチ４４では、入力された複数の信号を、例えば９６チャンネルの入力チャンネル部４５のそれぞれの入力チャンネルにパッチ（結線）することができる。入力チャンネル部４５における各入力チャンネルには、ノイズゲート、コンプレッサ、ディレイ、フェーダ、ＭＩＸバス４６およびＡＵＸバス４９へのレベル調整部が備えられている。その詳細については後述するが、これらの入力チャンネルにおいて、周波数特性およびＭＩＸバス４６およびＡＵＸバス４９へ出力されるレベルが制御される。入力チャンネル部４５から出力される９６チャンネルのディジタル信号は、それぞれ８本のミキシングバス（ＭＩＸバス）４６の１ないし複数に選択的に出力されると共に、それぞれＬ，Ｒのバスからなるステレオバス（Stereo#L/R）４７と、それぞれＬ，Ｒのバスからなるソロバス（SOLO#L/R）４８と、１２本のＡＵＸバス４９の１ないし複数に選択的に出力される。
【００２２】
ＭＩＸバス４６においては、８本の各バスにおいてミキシングプログラムに応じてそれぞれ選択的に入力された９６チャンネルのディジタル信号がミキシングされて、合計８チャンネルのＭＩＸ出力が出力チャンネル部（MIX出力ch  AUX出力ch）５１に出力されている。これにより、最大８通りにミキシングされた８チャンネルのＭＩＸ出力を得ることができる。このＭＩＸバス４６からの出力には、最終的なサラウンド出力が含まれる。また、ＡＵＸバス４９においては、１２本の各バスにおいてミキシングプログラムに応じてそれぞれ選択的に入力された９６チャンネルのディジタル信号がミキシングされて、合計１２チャンネルのＡＵＸ出力が出力チャンネル部５１に出力されている。これにより、最大１２通りにミキシングされた１２チャンネルのＡＵＸ出力を得ることができる。このＡＵＸバス４９からの出力には中間的なサラウンド出力が含まれ、該サラウンド出力は例えば内蔵エフェクタ４３へ送られる。出力チャンネル部５１は、後述するようにイコライザ、コンプレッサ、ディレイ、フェーダ等が備えられている（８＋１２）チャンネルの出力チャンネルから構成されている。
ステレオバス４７においては、Ｌ，Ｒのバスにそれぞれ入力された９６チャンネルのディジタル信号をプログラムされたとおりにミキシングして、１系統のステレオミキシング出力をステレオ出力チャンネル部５０に出力している。ソロバス４８においては、Ｌ，Ｒのバスにそれぞれ入力された９６チャンネルのディジタル信号の内のパネル操作子２８で選択された１ないし複数チャンネルがＬ，Ｒのバスで混合され、同バスからモニタ用ミキサ５９に出力されて、図示していないがそれぞれの入力チャンネルの出力信号をモニタできるようにされている。
【００２３】
ステレオ出力チャンネル部５０のステレオミキシング出力と、出力チャンネル部５１から出力される（８＋１２）チャンネルのＭＩＸ出力およびＡＵＸ出力とは、マトリックス出力チャンネル部（MATRIX 出力 ch）５２に選択的に入力されてミキシングされ、４チャンネルのマトリックス出力が生成されている。マトリックス出力チャンネル部５２は、イコライザ、コンプレッサ、ディレイ、フェーダ等が備えられている４チャンネルの出力チャンネルから構成されており、その出力チャンネル毎に異なる制御がなされることにより、４系統の異なるマトリックス出力信号を得ることができるようにされている。
【００２４】
上述したステレオ出力チャンネル部５０からの２系統のステレオ出力信号と、出力チャンネル部５１からの（８＋１２）チャンネルのＭＩＸ出力およびＡＵＸ出力と、マトリックス出力チャンネル部５２からの４チャンネルのマトリックス出力信号は出力パッチ５３に供給される。出力パッチ５３では、入力されたディジタル出力信号のそれぞれが、アナログ出力ユニット（カードを含む）５４、ステレオアナログ出力ユニット（カードを含む）５５、ステレオディジタル出力ユニット（カードを含む）５６、および、内蔵エフェクタ（８個）４３のいずれかへパッチ（結線）されている。内蔵エフェクタ４３では、リバーブ、エコーやコーラスのエフェクトがディジタルオーディオ信号に付加される。この内蔵エフェクタ４３は、信号処理部２４を構成しているＤＳＰにより実現されている。前述したように、内蔵エフェクタ４３の出力は入力パッチ４４に入力することができると共に、出力パッチ５３に戻すことができるようにされている。
【００２５】
また、アナログ出力ユニット（カードを含む）５４、ステレオアナログ出力ユニット（カードを含む）５５へ供給されたディジタル出力信号は、出力ユニット５４，５５に内蔵されているＤＡ変換器によりアナログ出力信号に変換される。そして、出力ユニット５４，５５から出力されるアナログ出力信号は、アンプ１０で増幅さ電力れてスピーカ１１から放音される。また、ステレオディジタル出力ユニット５６から出力されるディジタルオーディオ信号は、８トラックマスタレコーダ７やＤＡＴ等に供給されてディジタル録音することができるようにされている。
【００２６】
さらに、ＡＵＸ出力の１ないし複数チャンネルを外部エフェクタに供給したい場合には、外部エフェクタをアナログ出力ユニット５４ないしステレオディジタル出力ユニット５６に接続し、出力パッチ５３で、該１ないし複数チャンネルを外部エフェクタの接続された出力ユニットにパッチ（結線）すればよい。また、外部エフェクタで処理された信号を１ないし複数の入力チャンネルに入力したい場合には、外部エフェクタをアナログ入力ユニット４０ないしステレオディジタル入力ユニット４２に接続し、入力パッチ４４で、接続された入力ユニットを該１ないし複数の入力チャンネルにパッチ（結線）すればよい。内蔵エフェクタ４３や外部エフェクタ９においては、複数チャンネルにエフェクトを付与することができるようにされている。例えば、１入力６出力のリバーブ、２入力２出力の３バンド・バンド別リミッタ、コンプレッサ、エキスパンダ、４入力４出力のリバーブやコンプレッサとされている。この場合、外部エフェクタの種類によっては、５．１チャンネル専用のオート・ＰＡＮ、コーラス、フランジ、シンフォニックを付与することができるものもあるが、ここでは外部エフェクタ９に５．１チャンネルや６．１チャンネル、７．１チャンネルの機能が用意されていないものとしている。また、内蔵エフェクタ４３は前述したように信号処理部２４を構成しているＤＳＰにより実現されており、５．１チャンネルや６．１チャンネル、７．１チャンネル専用のエフェクタは用意されていないものとしている。
【００２７】
ところで、ディジタル・ミキサ１においては、ステレオ出力チャンネル部５０からの２系統のステレオ出力信号と、出力チャンネル部５１からの（８＋１２）チャンネルのＭＩＸ出力およびＡＵＸ出力と、マトリックス出力チャンネル部５２からの４チャンネルのマトリックス出力信号のいずれか１つないし複数を、選択的にモニタすることができる。いずれの出力信号をモニタするかのモニタ信号の選択は、モニタ用セレクタ５８により行われ、選択されたモニタ信号はモニタ用ミキサ５９においてミキシングされる。次いで、モニタ用アナログ出力ユニット６０においてアナログ信号に変換されて、モニタ・スピーカあるいはモニタ用のヘッドフォンから出力される。
【００２８】
次に、図３に示す入力チャンネル部４５の入力チャンネルの構成例を図４（ａ）に示す。
図４（ａ）に示すように、入力チャンネルにおいては、ノイズゲート（ＧＡＴＥ）７０、パラメトリックイコライザ（ＰＥＱ）７１、コンプレッサ（ＣＯＭＰ）７２、ディレイ（ＤＥＬＡＹ）７３、フェーダ７４が縦続接続されている。そして、フェーダ７４の出力はパン／サラウンドレベル制御部７５に供給され、フェーダ７４の出力およびフェーダ７４の入力はＡＵＸセンドレベル制御部７６に供給されている。ここで、ＧＡＴＥ７０は、ノイズを遮断するノイズゲートであり、入力されたディジタルオーディオ信号のレベルが基準値以下となった際に、入力されたディジタルオーディオ信号のゲインを急激に低下させてノイズを遮断している。ＰＥＱ７１は、入力されたディジタルオーディオ信号の周波数特性を調整する、例えば４バンドのイコライザとされており、ＨＩ，ＭＩＤ  ＨＩ，ＬＯＷ  ＭＩＤ，ＬＯＷの４バンドの各バンド毎の周波数特性を可変できるようにされている。ＣＯＭＰ７２は、入力されたディジタルオーディオ信号のダイナミックレンジを狭くして、入力されたディジタルオーディオ信号が飽和することを防止している。ＤＥＬＡＹ７３は、音源とマイクとの距離補正等を行うように、入力されたディジタルオーディオ信号の時間遅延を行っている。
【００２９】
そして、ＧＡＴＥ７０の基準値、ＰＥＱ７１のイコライザ特性、ＣＯＭＰ７２のコンプレス特性、ＤＥＬＡＹ７３の遅延特性等は、操作子２８により変更制御可能とされている。フェーダ７４（電動フェーダ２７の一部）は、ＭＩＸバス４６への送り出しレベルを制御するレベル可変手段であり、電動型とされている。また、パン／サラウンドレベル制御部７５は、操作子２８の一部である音像定位を調整するパン操作子ないしサラウンド操作子、及び、サラウンド・モード（ＳＭＯＤ）に応じてＭＩＸバス４６へ出力するディジタル信号のレベルを制御している。このパン／サラウンドレベル制御部７５は８個設けられており、それぞれＭＩＸバス４６のバス１〜バス８へ出力する信号のレベルを個別に制御している。なお、ＭＩＸバス４６のバス１〜バス８のうち、信号を出力しないバスへ出力する信号のレベルは０とされる。さらに、ＡＵＸセンドレベル制御部７６は、選択信号（ＰＲＥ／ＰＯＳＴ）に応じてフェーダ出力７４の入力およびフェーダ７４の出力の一方を選択し、選択されたディジタル信号に対して、出力先であるＡＵＸバスの各バス毎に、センド操作子の操作量、及び、ＡＵＸサラウンド・モード（ＡＳＭＯＤ）に応じたレベル制御を行なっている。このＡＵＸセンドレベル制御部７６は１２個設けられており、それぞれＡＵＸバス４９のバス１〜バス１２へのセンドレベルを制御している。なお、後述するフォローサラウンドをオンすることにより、該センド操作子の操作量をサラウンド操作子の操作量に連動させることができる。以上の入力チャンネルに供給される各パラメータは、システムに対して設定されるサラウンド・モード（ＳＭＯＤ）とＡＵＸサラウンド・モード（ＡＳＭＯＤ）を除いて、基本的には各入力チャンネル毎に独立である。ただし、ペアリングやギャングの設定により、複数の入力チャンネルの１ないし複数パラメータを連動させることもできる。
【００３０】
次に、図３に示すステレオ出力チャンネル部５０、出力チャンネル部５１およびマトリックス出力チャンネル部５２の出力チャンネルの構成例を図４（ｂ）に示す。
図４（ｂ）に示すように、出力チャンネルは、パラメトリックイコライザ（ＰＥＱ）８０、コンプレッサ（ＣＯＭＰ）８１、ディレイ（ＤＥＬＡＹ）８２、フェーダ８３を縦続接続して構成されている。ＰＥＱ８０は、出力されるディジタルオーディオ信号の周波数特性を調整する、例えば６バンドのイコライザとされており、ＨＩ，ＭＩＤ  ＨＩ，ＭＩＤ，ＬＯＷ  ＭＩＤ，ＬＯＷ，ＳＵＢ  ＭＩＤの６バンドの各バンド毎に電気的特性を可変することができるようにされている。ＣＯＭＰ８１は、出力されるディジタルオーディオ信号のダイナミックレンジを狭くして、出力されるディジタルオーディオ信号が飽和することを防止している。ＤＥＬＡＹ８２は、スピーカの距離補正や定位の補正等を行うように、出力されるディジタルオーディオ信号の時間遅延を行っている。ここで、ＰＥＱ８０のイコライザ特性、ＣＯＭＰ８１のコンプレス特性、ＤＥＬＡＹ８２の遅延特性等は、操作子２８で変更制御可能とされている。フェーダ８３（電動フェーダ２７を割当可能）は、各出力チャンネルから出力パッチ５３へ出力する信号の出力レベルを制御するレベル可変手段である。以上の出力チャンネルに供給される各パラメータは、基本的には各出力チャンネル毎に独立である。但し、ペアリングやギャングの設定により、複数の出力チャンネルの１ないし複数パラメータを連動させることもできる。
【００３１】
次に、本発明にかかるディジタル・ミキサ１においてサラウンドの設定を行う際の説明を、表示器２６に表示される画面を参照しながら説明する。
図５はサラウンドの設定を行う際に、各入力チャンネルにおける音像の２次元定位制御を行う時に表示器２６に表示される画面である。画面には隣り合う２チャンネルが表示され、その奇数チャンネルが左側に偶数チャンネルが右側に表示されている。例えば、図５にはＣＨ番号９４の欄にＣＨ１７／１８と表示されて、チャンネル１７とチャンネル１８の２次元定位制御画面が表示されている。ＣＨ番号９４の欄に表示されるチャンネル番号を変更することにより、表示されたチャンネルの２次元定位制御を、各チャンネル毎に行うことができる。２次元定位制御では、サラウンド操作子の種類に応じて異なる制御を行うことができる。ここで、サラウンド操作子としてロータリ・エンコーダを使用する場合には、７つ用意されている定位軌跡選択ボタン９０のいずれかを選択する。図示する例ではＣＨ１７とＣＨ１８共に円形の定位軌跡となるボタン９０が選択されている。この場合に、ロータリ・エンコーダを右回転させると、図６（ｂ）に示す円上を右回りに音像定位位置が移動していくようになる。また、ロータリ・エンコーダを左回転させると、図６（ｂ）に示す円上を左回りに音像定位位置が移動していくようになる。このようにして各チャンネルの音像定位位置を調整することができる。
【００３２】
なお、右上がりの斜線が表示されたボタン９０を選択した場合は、図６（ａ）に示す右上がりの斜線に沿ってそのチャンネルの音像定位位置を移動することができる。例えば、ロータリ・エンコーダを右回りさせると音像定位位置は斜線に沿って右上に移動していき、左回りさせると音像定位位置は斜線に沿って左下に移動していくようになる。他のボタン９０を選択した場合も同様に選択された軌跡に沿って音像定位位置を移動させていくことができる。また、定位軌跡選択ボタン９０で選択された軌跡の形状および位置を定位範囲内において変更することができる。軌跡の横幅はＷＩＤＴＨ９１の値をテンキーを操作して変更することにより制御することができ、軌跡の高さはＤＥＰＴＨ９２の値をテンキーを操作して変更することにより制御することができる。さらに、軌跡の中心位置は横方向と縦方向のＯＦＦＳＥＴ９３の値をテンキーを操作して変更することにより制御することができる。
ところで、サラウンド操作子としてジョイスティックを使用する場合には、ジョイスティックの操作に従って、図６（ｃ）に示すように音像定位位置を任意の位置に移動することができる。
【００３３】
図５に示す画面を表示させて音像の定位を行うことにより、各チャンネルにおけるＭＩＸバス４６への出力レベルが変更され、フォローサラウンドオン時はＡＵＸバス４９へのセンドレベルも変更される。ＭＩＸバス４６への出力レベルは、図４に示すパン／サラウンドレベル制御部７５においてサラウンド操作子の操作量である移動後の定位位置に応じて制御される。また、フォローサラウンドがオンの場合、ＡＵＸバス４９へのセンドレベルは、図４に示すＡＵＸセンドレベル制御部７６においてサラウンド操作子の操作量である移動後の定位位置に応じて制御される。ここで、例えば図７に示す定位範囲においてサラウンド操作子を操作した結果、そのチャンネルの音像の定位位置がＡとされたとする。２次元の音像定位は、図１６（ｂ）の（２＋２）チャンネルのサラウンドモードにおける音量分配の考え方が基本となる。まず、左チャンネルと右チャンネルへのレベルの分配は図７のＶｌとＶｒのようになり、また、前チャンネルと後チャンネルへのレベルの分配は、図７のＶｆとＶｓのようになる。ここで、レベルを定める曲線はｓｉｎ2の曲線とｃｏｓ2の曲線とされており、それらの和のエネルギーは一定である。従って、前方の左スピーカチャンネルＬへの出力レベルは（Ｖｌ×Ｖｆ）となり、右スピーカチャンネルＲへの出力レベルは（Ｖｒ×Ｖｆ）となる。また、後方の左スピーカチャンネルＬｓへの出力レベルは（Ｖｌ×Ｖｓ）となり、右スピーカチャンネルＲｓへの出力レベルは（Ｖｒ×Ｖｓ）となる。
図１６（ｄ）に示す５．１チャンネルのサラウンド・モードでは、（２＋２）チャンネルで前方の左スピーカチャンネルＬと右スピーカチャンネルＲの２つのスピーカに分配していた音量を、前方の左スピーカチャンネルＬ、右スピーカチャンネルＲ、及び、センタースピーカチャンネルＣの３つのスピーカに再分配すれば良い。この再分配では、特開平１０−２９０５００号公報に記載されている演算を行ってスピーカチャンネルＬ，Ｒ，Ｃへの出力レベルを決定することができる。また、ウーハ用スピーカチャンネルＬＦＥへの出力する信号のレベルは、ＬＦＥ制御操作子により制御される。
【００３４】
なお、各スピーカチャンネルへの出力レベルは、ＭＩＸバス４６中の最終的なサラウンド出力を出力する複数バスへの出力レベルと同等であり、上述したようにして決定された各スピーカチャンネルへの出力レベルが、パン／サラウンドレベル制御部７５から出力されるＭＩＸバス４６への出力レベルとなる。このような出力レベルの演算は、サラウンド操作子が操作されたり、サラウンド・モードが変更されたりした際に、信号処理部２４におけるＤＳＰにより自動的に行われて、パン／サラウンドレベル制御部７５におけるサラウンド出力分の出力レベルが決定される。
【００３５】
ここで、図３に示す本発明にかかるディジタル・ミキサ１においてサラウンド出力を得る場合の具体的動作を説明する。
この場合、入力パッチ４４に入力されるディジタル入力信号のうちの入力１〜入力４の４入力を用いて５．１チャンネルのサラウンド・モードのサラウンド出力を得るものと仮定する。すると、各ディジタル入力信号は入力パッチ４４において、それぞれの入力チャンネルにパッチされる。例えば、入力１がチャンネル１へ、入力２がチャンネル２へ、入力３がチャンネル３へ、入力４がチャンネル４へパッチされるようになる。そして、それぞれの入力チャンネルにおいてイコライザ特性、コンプレス特性、遅延特性が制御されると共に、ＭＩＸバス４６への出力レベルが制御される。この場合、５．１チャンネルのサラウンド・モードとされていることから、ＭＩＸバス４６における６本のバス１〜バス６へ、それぞれの入力チャンネルにおける出力が送られる。すなわち、ＭＩＸバス４６におけるバス１〜バス６は、図１６（ｄ）に示す５．１チャンネルのスピーカチャンネルＬ、Ｃ、Ｒ、Ｌｓ、Ｒｓ、ＬＦＥに対応することになる。したがって、ＭＩＸバス４６におけるバス１〜バス６への出力レベルは、それぞれの入力チャンネルにおけるパン／サラウンドレベル制御部７５により、サラウンド操作子の操作量や選択されているサラウンド・モード（ＳＭＯＤ）、スピーカチャンネルに応じて制御されるようになる。
【００３６】
ここで、ＭＩＸバス４６のサラウンド多チャンネルへの割当は図１３に示すようにされている。すなわち、サラウンド・モードが５．１チャンネルに設定された場合は、ＭＩＸバス４６におけるバス１（ＢＵＳ１）に前方左スピーカチャンネルＬが割り当てられ、バス２（ＢＵＳ２）に前方右スピーカチャンネルＲが割り当てられ、バス３（ＢＵＳ３）に後方左スピーカチャンネルＬｓが割り当てられ、バス４（ＢＵＳ４）に後方右スピーカチャンネルＲｓが割り当てられ、バス５（ＢＵＳ５）に前方センタースピーカチャンネルＣが割り当てられ、バス６（ＢＵＳ６）にウーハ用スピーカチャンネルＬＦＥが割り当てられる。また、他のサラウンド・モードに設定された場合は図１３に図示する通りに割り当てられる。なお、サラウンド・モードにおいて使用していないバスは任意の用途に使用することができ、隣り合う奇数と偶数からなる一対のバスをステレオ用に割り当てることもできる。
【００３７】
ＭＩＸバス４６のチャンネル割当は、このようにされているため、例えば、各チャンネル毎に前方左スピーカチャンネルＬの出力レベルで制御された入力チャンネル１〜４の出力がＭＩＸバス４６のバス１に出力される。同様にして、前方右スピーカチャンネルＲの出力レベルで制御された入力チャンネル１〜４の出力がＭＩＸバス４６のバス２に出力され、後方左スピーカチャンネルＬｓの出力レベルで制御された入力チャンネル１〜４の出力がＭＩＸバス４６のバス３に出力され、後方右スピーカチャンネルＲｓの出力レベルで制御された入力チャンネル１〜４の出力がＭＩＸバス４６のバス４に出力され、前方センタースピーカチャンネルＣの出力レベルで制御された入力チャンネル１〜４の出力がＭＩＸバス４６のバス５に出力され、ウーハ用スピーカチャンネルＬＦＥの出力レベルで制御された入力チャンネル１〜４の出力がＭＩＸバス４６のバス６に出力される。
【００３８】
ＭＩＸバス４６におけるバス１〜バス６において、それぞれ送られた４つの入力チャンネルからの出力がミキシングされて、スピーカチャンネルＬ、Ｃ、Ｒ、Ｌｓ、Ｒｓ、ＬＦＥに対応する６チャンネルのＭＩＸ出力が出力チャンネル部５１に出力される。図４（ｂ）に示す構成の出力チャンネル部５１においては、これらのスピーカチャンネルＬ、Ｃ、Ｒ、Ｌｓ、Ｒｓ、ＬＦＥに応じたイコライザ特性、コンプレス特性、遅延特性に制御されて出力パッチ５３において、スピーカチャンネルＬ、Ｃ、Ｒ、Ｌｓ、Ｒｓ、ＬＦＥに対応する出力にパッチされて出力される。これにより、出力されたスピーカチャンネルＬ、Ｃ、Ｒ、Ｌｓ、Ｒｓ、ＬＦＥの信号によりスピーカＬ、Ｃ、Ｒ、Ｌｓ、Ｒｓ、ＬＦＥがそれぞれ駆動されて、臨場感あふれる音場が生成されるようになる。
【００３９】
ここで、サラウンド・モード（ＳＭＯＤ）として５．１チャンネルが設定されており、そのサラウンド出力にエフェクトを付与する場合について説明する。ディジタル・ミキサ１でエフェクトを付与したい場合には、ユーザは、出力パッチ５３および入力パッチ４４において内蔵エフェクタ４３あるいは外部エフェクタ９を適宜結線すると共に、結線されたエフェクタにおいて所望のエフェクトを選択する。ここでは、入力が５．１チャンネル構成のエフェクトを備えていない内蔵エフェクタ４３でエフェクトを付与するものとし、内蔵エフェクタ４３において入力及び出力が（２＋２）チャンネル構成のエフェクトが選択されたとする。この場合、図３で説明したように、入力１が入力チャンネル１へ、入力２が入力チャンネル２へ、入力３が入力チャンネル３へ、入力４が入力チャンネル４へそれぞれパッチされており、ＭＩＸバス４６のバス１〜バス６において５．１チャンネルのミキシングが行われている。
【００４０】
ここで、選択したエフェクタの入力構成に合わせて、ＡＵＸサラウンド・モード（ＡＳＭＯＤ）を（２＋２）チャンネルサラウンドに設定し、ＡＵＸバス４９のバス１〜バス４のフォローサラウンドをオンにすることにより、ＡＵＸバス４９のバス１〜バス４において、選択されたエフェクタの入力構成に適合した（２＋２）チャンネルサラウンドのミキシングが行われる。ＭＩＸバス４６における５．１チャンネルのミキシング信号とＡＵＸバス４９における（２＋２）チャンネルのミキシング信号は、互いに定位位置が同じとされているがサラウンドモードは異なっている。ＡＵＸバス４９から出力される（２＋２）チャンネルのミキシング信号は、出力チャンネル部５１に出力される。図４（ｂ）に示す構成の出力チャンネル部５１においては、（２＋２）チャンネルのスピーカチャンネルＬ、Ｒ、Ｌｓ、Ｒｓに応じたイコライザ特性、コンプレス特性、遅延特性に制御されて出力パッチ５３において、内蔵エフェクタ４３に対応する出力にパッチされて内蔵エフェクタ４３に出力される。これにより、内蔵エフェクタ４３において選択されたエフェクトが各チャンネルに付与され、（２＋２）チャンネル構成の信号が内蔵エフェクタ４３から出力される。
【００４１】
内蔵エフェクタ４３により効果付与された信号は入力パッチ４４において、それぞれの入力チャンネルにパッチされる。例えば、（２＋２）チャンネルのうちのＬがチャンネル８へ、Ｒがチャンネル９へ、Ｌｓがチャンネル１０へ、Ｒｓがチャンネル１１へパッチされるようになる。そして、それぞれの入力チャンネルにおいてイコライザ特性、コンプレス特性、遅延特性が制御されると共に、ＭＩＸバス４９への出力レベルが制御される。この場合、Ｌを入力するチャンネル８の信号は、前方左スピーカチャンネルＬ（ＭＩＸバス４６のバス１）とセンタースピーカチャンネルＣ（ＭＩＸバス４６のバス５）へ、Ｒを入力するチャンネル９の信号は、前方右スピーカチャンネルＲ（ＭＩＸバス４６のバス２）とセンタースピーカチャンネルＣ（ＭＩＸバス４６のバス５）へ、それぞれ同レベルになるようレベル制御されて出力される。さらに、Ｌｓを入力するチャンネル１０の信号は後方左スピーカチャンネルＬｓ（ＭＩＸバス４６のバス３）へ、Ｒｓを入力するチャンネル１１の信号は後方右スピーカチャンネルＲｓ（ＭＩＸバス４６のバス４）へ、それぞれレベル制御されて出力される。
【００４２】
これらの信号の振分けは、各入力チャンネルにおける定位位置を適宜調整することにより行われる。また、入力チャンネル８〜１１の信号は、各チャンネルのＬＦＥ操作子の操作量に応じたレベルでウーファー用スピーカチャンネルＬＦＥ（ＭＩＸバス４６のバス６）に出力される。なお、入力チャンネル８〜１１におけるＡＵＸバス４９への出力は全てオフに設定しておく必要がある。そして、入力チャンネル８〜１１のフェーダ７４を操作することにより、ＭＩＸバス４６でミキシングされる５．１チャンネル信号に対する選択されたエフェクトのかかり具合を制御することができるようになる。
【００４３】
ここで、ＡＵＸバス４９の各バスのセンドレベルを、ＭＩＸバス４６におけるサラウンドミキシングの定位位置に連動させるか否かを設定できる。追従させたい場合、そのバスのフォローサラウンドにオンを設定する。このようなフォローサラウンドのオン／オフの設定は、図１４に示すように設定することができる。先の例のようにＡＵＸサラウンド・モードに（２＋２）チャンネルが設定されている場合には、ＡＵＸバス４９におけるバス１（ＡＵＸ１）とバス２（ＡＵＸ２）とがペアでフォローサラウンドを設定可能とされると共に、バス３（ＡＵＸ３）とバス４（ＡＵＸ４）とがペアでフォローサラウンドを設定可能とされる。また、他のＡＵＸサラウンド・モードで使用する場合は図１４に図示する通りに、ペアで設定可／設定不可とされる。
また、フォローサラウンドオンとされた場合には、ＡＵＸバス４９のサラウンド多チャンネルへの割当は図１５に示すようにされる。すなわち、ＡＵＸサラウンド・モードが（２＋２）チャンネルに設定された場合は、ＡＵＸバス４９におけるバス１（ＡＵＸ１）に前方左スピーカチャンネルＬが割り当てられ、バス２（ＡＵＸ２）に前方右スピーカチャンネルＲが割り当てられ、バス３（ＡＵＸ３）に後方左スピーカチャンネルＬｓが割り当てられ、バス４（ＡＵＸ４）に後方右スピーカチャンネルＲｓが割り当てられる。また、他のＡＵＸサラウンド・モードに設定された場合は図１５に図示する通りに割り当てられる。
【００４４】
このように、本発明のディジタル・ミキサ１においては、システムのサラウンド・モード（ＳＭＯＤ：最終出力のためのＭＩＸバス４６のサラウンド・モード）とエフェクタの入力構成が異なっている場合に、ＡＵＸバス４９において、該サラウンド・モードとは異なるＡＵＸサラウンド・モード（ＡＳＭＯＤ）でそのエフェクトの入力構成に合ったミキシングを行うことができる。
【００４５】
次に、サラウンド・モードを設定する画面を図８，図９に示す。図８は、「SURR MODE」タブをクリックして表示器２６にサラウンド・モード選択画面を表示した画面である。この画面では、「５．１」が選択されて５．１チャンネルにおけるスピーカの配置と各スピーカチャンネルＬ、Ｃ、Ｒ、Ｌｓ、Ｒｓ、ＬＦＥに割り当てられたＭＩＸバス４６におけるバス１（ＢＵＳ１）〜バス６（ＢＵＳ６）が示されている。この画面のように、５．１チャンネルのサラウンド・モードが選択された場合は、６本のスピーカＬ、Ｃ、Ｒ、Ｌｓ、Ｒｓ、ＬＦＥを図示するように配置する。
また、図９は、サラウンド・モード選択画面において、「７．１」を選択した場合の画面である。この画面では、７．１チャンネルにおけるスピーカの配置と各スピーカチャンネルＬ、Ｌｏ、Ｃ、Ｒｏ、Ｒ、Ｌｓ、Ｒｓ、ＬＦＥに割り当てられたＭＩＸバス４６におけるバス１（ＢＵＳ１）〜バス８（ＢＵＳ８）が示されている。この画面のように、７．１チャンネルのサラウンド・モードが選択された場合は、８本のスピーカＬ、Ｌｏ、Ｃ、Ｒｏ、Ｒ、Ｌｓ、Ｒｓ、ＬＦＥを図示するように配置する。
【００４６】
次に、サラウンド・モード設定処理のフローチャートを図１０に示す。
図１０において、サラウンド・モード設定画面が表示器２６に表示されてサラウンド・モード処理が開始されると、ステップＳ１にて選択されたサラウンド・モード（ＳＭＯＤ）が取り込まれる。次いで、ステップＳ２において、ミキサの全入力チャンネルについて、図４（ａ）に示す入力チャンネルにおけるパン／サラウンドレベル制御部７５に、取り込まれたサラウンド・モードに対応したＭＩＸバス４６の各バスに対する出力レベルが設定されるようになる。これにより、ＭＩＸバス４６から該サラウンド・モードに対応したミキシング信号が生成され、ＭＩＸ出力チャンネルで調整されて出力パッチ５３に出力される。その出力を、出力パッチ５３において、該サラウンド・モードに対応して配置されているスピーカに接続されたアナログ出力ユニット５４へパッチ（結線）してやることにより、該スピーカから臨場感あふれる音場が生成されるようになる。
【００４７】
ここで、パン／サラウンドレベル制御部７５における選択されたサラウンド・モード（ＳＭＯＤ）に対する音量制御を、サラウンド・モード別に説明する。
［ＳＭＯＤ＝０： ステレオ］
ＦＰ（フォローパン）がオンなら、入力信号に対してパン操作量に応じたパン音量制御を行なった信号を各ＭＩＸバス４６に出力する。ここでは、隣り合う奇数番号のバスがＬチャンネル、偶数番号のバスがＲチャンネルとされる。また、ＦＰがオフなら、入力信号がそのままＭＩＸバス４６の各バスに出力される。
［ＳＭＯＤ＝１： ２＋２チャンネル］
入力信号に対してサラウンド操作子のＳＲ操作量に応じて（２＋２）チャンネル音量制御を行なった信号を、ＭＩＸバス４６のバス１〜バス４に対して出力する。この場合、バス５〜バス８のＭＩＸバス４６に関しては、前記した［ステレオ］の場合と同様とされる。
【００４８】
［ＳＭＯＤ＝２： ３＋１チャンネル］
入力信号に対してサラウンド操作子のＳＲ操作量に応じて（３＋１）チャンネル音量制御を行なった信号を、ＭＩＸバス４６のバス１〜バス４に対して出力する。この場合、バス５〜バス８のＭＩＸバス４６に関しては、前記した［ステレオ］の場合と同様とされる。
［ＳＭＯＤ＝３： ５．１チャンネル］
入力信号に対してサラウンド操作子のＳＲ操作量に応じて５．１チャンネル音量制御を行なった信号を、ＭＩＸバス４６のバス１〜バス６に対して出力する。この場合、バス７、バス８のＭＩＸバス４６に関しては、前記した［ステレオ］の場合と同様とされる。
［ＳＭＯＤ＝４： ６．１チャンネル］
入力信号に対してサラウンド操作子のＳＲ操作量に応じて６．１チャンネル音量制御を行なった信号を、ＭＩＸバス４６のバス１〜バス７に対して出力する。この場合、残るバス８のＭＩＸバス４６に関しては、前記した［ステレオ］の場合と同様とされる。
［ＳＭＯＤ＝５： ７．１チャンネル］
・入力信号に対してサラウンド操作子のＳＲ操作量に応じて７．１チャンネル音量制御を行なった信号を、ＭＩＸバス４６のバス１〜バス８に対して出力する。
【００４９】
次に、フォローサラウンドの設定画面を図１１に示す。サラウンドの設定画面において、「OUTPUT」タブをクリックして表示器２６にフォローサラウンド設定画面を表示した画面である。画面にはＡＵＸサラウンド・モードを表示する表示欄１０４が設けられており、図示する例では選択された（２＋２）チャンネルのＡＵＸサラウンド・モードが表示されている。このＡＵＸサラウンド・モードはＡＵＸバス４９のサラウンド・モードであり、使用するエフェクトの入力構成に合わせて設定することができる。フォローサラウンドのオン／オフは、ＡＵＸバス４９における隣り合う２本のバスが単位とされて設定される。フォローサラウンド設定画面では、バス番号１０１で示すようにバス番号が表示されており、その間と下に単位とされる２本のバス及びその出力チャンネルがペアリングされているかモノラルとされているかのチャンネル態様が表示され、さらにその下にフォローサラウンドのオン／オフが表示されている。
【００５０】
この画面では、ＡＵＸバス４９におけるバス１とバス２との間のハートマークが完成して表示されており、当該バスに割り当てられている２つの出力チャンネルがペアリングされてステレオに設定されていることが示されている。さらにこの２つのチャンネルではフォローサラウンドがオンとされて、各入力チャンネル毎に、ＡＵＸサラウンド・モードと当該チャンネルのサラウンド操作子の操作量に応じてＡＵＸバス４９へのセンドレベルが制御されるようになされている。ここで、通常は、ペアリングされた２つのバスへのセンドレベルが同じになるよう制御されるが、フォローサラウンドがオンとなっている場合は、フォローサラウンドによるセンドレベルの制御がそれに優先される。また、ＡＵＸバス４９におけるバス３とバス４に割り当てられている２つのチャンネルでは、ハートマークがブロークンとされてペアリングされずにモノラルに設定されていることが示されている。さらにこの２つのチャンネルではフォローサラウンドがオフとされて、各入力チャンネルでは、当該チャンネルの個々のセンドレベル操作子により独立してセンドレベルを設定するようにしている。さらに、選択された（２＋２）チャンネルではＡＵＸバス４９の４本のバスを使用するので、残りのバス５〜バス１２に割り当てられている出力チャンネルではフォローサラウンドが破線で示されて、図１４に示すようにフォローサラウンドのオン／オフを設定することができないようにされている。なお、これらのバス５〜バス１２に割り当てられているチャンネルは、サラウンド以外に使用可能とされる。
【００５１】
また、フォローサラウンド設定画面では、図１１に示すようにサラウンド・モード設定画面で設定されたＭＩＸサラウンド・モードの情報も表示されている。すなわち、ＭＩＸサラウンド・モードがＭＩＸサラウンドの表示欄１１４に表示されて、図示する例では５．１チャンネルのＭＩＸサラウンド・モードが表示されている。ただし、この画面ではＭＩＸサラウンド・モードを変更することはできない。さらに、バス番号１１１で示すようにＭＩＸバス４６におけるバス番号が表示されており、その間と下に単位とされる２本のバスがペアリングされているかモノラルとされているかのチャンネル態様が表示され、さらにその下に各バスに割り当てられているスピーカチャンネルが表示されている
【００５２】
この画面では、ＭＩＸバス４６におけるバス１とバス２の間のハートマークが完成して表示されており、当該バスに割り当てられている２つのチャンネルがペアリングされてステレオに設定されていることが示されている。さらに、これらのバス１のチャンネルは前方左スピーカチャンネルＬに割り当てられ、バス２のチャンネルは前方右スピーカチャンネルＲに割り当てられていることが表示されている。また、ＭＩＸバス４６におけるバス３とバス４に割り当てられている２つのチャンネルでは、ハートマークがブロークンとされておりペアリングされずにモノラルに設定されていることが示されている。さらに、これらのバス３のチャンネルは後方左スピーカチャンネルＬｓに割り当てられ、バス４のチャンネルは後方右スピーカチャンネルＲｓに割り当てられていることが表示されている。さらにまた、ＭＩＸバス４６におけるバス５とバス６に割り当てられている２つのチャンネルでは、ハートマークが完成しておらずペアリングされずにモノラルに設定されていることが示されている。さらに、これらのバス５のチャンネルは前方センタースピーカチャンネルＣに割り当てられ、バス６のチャンネルはウーハ用スピーカチャンネルＬＦＥに割り当てられていることが表示されている。ＭＩＸバス４６における残るバス７とバス８は、サラウンド用として使用されておらずこれらのバス７，バス８に割り当てられているチャンネルは、サラウンド以外に使用可能とされる。
【００５３】
次に、ＡＵＸサラウンド・モード設定処理のフローチャートを図１２（ａ）に示す。
図１２（ａ）において、ＡＵＸサラウンド・モード設定画面が表示器２６に表示されてＡＵＸサラウンド・モード処理が開始されると、ステップＳ１０にて選択されたＡＵＸサラウンド・モード（ＡＳＭＯＤ）が取り込まれる。次いで、ステップＳ１１において、ミキサの全チャンネルについて、図４（ａ）に示す入力チャンネルにおけるＡＵＸセンドレベル制御部７６のセンドレベルのうち、フォローサラウンドがオンされているバスへのセンドレベルが、取り込まれたＡＵＸサラウンド・モードと当該チャンネルの定位位置に対応した音量に設定される。これにより、エフェクタが有するＡＵＸサラウンド・モードに応じたＡＵＸサラウンド出力をエフェクタに出力することができるようになる。
【００５４】
次に、フォローサラウンドがオンに設定された際に実行されるフォローサラウンドオン処理のフローチャートを図１２（ｂ）に示す。
図１２（ｂ）において、ＡＵＸサラウンド・モード設定画面が表示器２６に表示されて単位とされる２本のＡＵＸバスに割り当てられたチャンネルにおいてフォローサラウンド（ＦＳ）がオンに設定されるとフォローサラウンドオン処理が開始され、ステップＳ２０にて、ミキサの全チャンネルについて、フォローサラウンドがオンに設定されたＡＵＸバス４９のセンドレベルが、選択されたＡＵＸサラウンド・モード（ＡＳＭＯＤ）と当該入力チャンネルのサラウンド操作子の操作量（定位位置）に応じた音量に設定され、フォローサラウンドオン処理は終了する。設定されたセンドレベル制御信号は、ＡＵＸセンドレベル制御部７６に供給される。これにより、ＡＵＸセンドレベル制御部７６においてＡＵＸサラウンド・モードおよびサラウンド操作子の操作量に応じたセンドレベルでＡＵＸバス４９へ出力することができるようになる。
【００５５】
次に、フォローサラウンドがオフに設定された際に実行されるフォローサラウンドオフ処理のフローチャートを図１２（ｃ）に示す。
図１２（ｃ）において、ＡＵＸサラウンド・モード設定画面が表示器２６に表示されて単位とされる２本のＡＵＸバスに割り当てられたチャンネルにおいてフォローサラウンド（ＦＳ）がオフに設定されるとフォローサラウンドオフ処理が開始され、ステップＳ３０にて、ディジタル・ミキサ１の全チャンネルについて、フォローサラウンドがオフに設定されたＡＵＸバス４９のセンドレベルが、各入力チャンネルのセンドレベル操作子の操作量に応じたセンドレベル（音量）制御信号が設定され、フォローサラウンドオフ処理は終了する。設定されたセンドレベル制御信号は、ＡＵＸセンドレベル制御部７６に供給される。
【００５６】
ここで、ＡＵＸセンドレベル制御部７６における選択されたＡＵＸサラウンド・モード（ＡＳＭＯＤ）に対する音量制御を、ＡＵＸサラウンド・モード別に説明する。
［ＡＳＭＯＤ＝０： ステレオ］
入力信号に対してＡＵＸバス４９におけるバスごとに独立したセンドレベルが設定されて、ＡＵＸバス４９へ出力される。ただし、ペアリングされている場合はペアリングされているチャンネルのセンドレベルに連動されて、ＡＵＸバス４９へ出力される。
［ＡＳＭＯＤ＝１： ２＋２チャンネル］
ＦＳ（フォローサラウンド）がオンに設定されているＡＵＸバス４９については、入力信号に対してサラウンド操作子のＳＲ操作量に応じて（２＋２）チャンネル音量制御を行なった信号を、ＡＵＸバス４９のＡＵＸ１〜ＡＵＸ４のバスに対して出力する。残るＡＵＸバス４９のＡＵＸ５〜ＡＵＸ１２のバスについては、前記した［ステレオ］の場合と同様とされる。
【００５７】
［ＡＳＭＯＤ＝２： ３＋１チャンネル］
ＦＳ（フォローサラウンド）がオンに設定されているＡＵＸバス４９については、入力信号に対してサラウンド操作子のＳＲ操作量に応じて（３＋１）チャンネル音量制御を行なった信号を、ＡＵＸバス４９のＡＵＸ１〜ＡＵＸ４のバスに対して出力する。残るＡＵＸバス４９のＡＵＸ５〜ＡＵＸ１２のバスについては、前記した［ステレオ］の場合と同様とされる。
［ＡＳＭＯＤ＝３： ５．１チャンネル］
ＦＳ（フォローサラウンド）がオンに設定されているＡＵＸバス４９については、入力信号に対してサラウンド操作子のＳＲ操作量に応じて５．１チャンネル音量制御を行なった信号を、ＵＸバス４９のＡＵＸ１〜ＡＵＸ６のバスに対して出力する。残るＡＵＸバス４９のＡＵＸ７〜ＡＵＸ１２のバスについては、前記した［ステレオ］の場合と同様とされる。
【００５８】
［ＡＳＭＯＤ＝４： ６．１チャンネル］
ＦＳ（フォローサラウンド）がオンに設定されているＡＵＸバス４９については、入力信号に対してサラウンド操作子のＳＲ操作量に応じて６．１チャンネル音量制御を行なった信号を、ＵＸバス４９のＡＵＸ１〜ＡＵＸ７のバスに対して出力する。残るＡＵＸバス４９のＡＵＸ８〜ＡＵＸ１２のバスについては、前記した［ステレオ］の場合と同様とされる。
［ＡＳＭＯＤ＝５： ７．１チャンネル］
ＦＳ（フォローサラウンド）がオンに設定されているＡＵＸバス４９については、入力信号に対してサラウンド操作子のＳＲ操作量に応じて７．１チャンネル音量制御を行なった信号を、ＡＵＸ１〜ＡＵＸ８のバスに対して出力する。残るＡＵＸバス４９のＡＵＸ９〜ＡＵＸ１２のバスについては、前記した［ステレオ］の場合と同様とされる。
なお、前記した［ＡＳＭＯＤ＝１〜５］において、ＦＳ（フォローサラウンド）がオフに設定されているＡＵＸバス４９については、前記した［ステレオ］の場合と同様とされる。
【００５９】
以上の説明では、ＭＩＸサラウンド・モードを５．１チャンネルに設定した場合について説明したが、ＭＩＸサラウンド・モードが他のサラウンド・モードに設定された場合も同様の動作が行われる。この場合に、エフェクトを付与したサラウンド出力を得たい場合に、ＭＩＸサラウンド・モードとエフェクタへ送るＡＵＸサラウンド・モードとを異ならせることができる。これにより、ＭＩＸサラウンド・モードに設定されているサラウンド・モードと、エフェクタで選択されたエフェクトの入力構成が異なっている場合でも、エフェクトの付与されたサラウンド出力を得ることができるようになる。また、エフェクタでＭＩＸサラウンド・モードと同じ入力構成のエフェクトが選択される場合には、ＡＵＸサラウンド・モードをＭＩＸサラウンド・モードと同じに設定すればよい。この場合、ＭＩＸバス４６とＡＵＸバス４９で同じサラウンド・モードのミキシングが行われるが、ＭＩＸバス４６には、先述したように、他の入力チャンネルを介してそのエフェクトで処理された信号も再入力される。エフェクトに入力する信号をミキシングするＡＵＸバス４９の出力チャンネルのフェーダ８３、ないし、エフェクトからの出力を再入力する入力チャンネルのフェーダ７４を操作することにより、エフェクトを深くかけるか浅くかけるか等の制御を行うことができる。
【００６０】
なお、以上説明した本発明の実施の形態のディジタル・ミキサにおいては、ＡＵＸサラウンド・モードが１つだけ設定できるようになっていたが、２つ以上のＡＵＸサラウンド・モードを設定できるようにしてもよい。例えば、２つのＡＵＸサラウンド・モードを設定できるようにする場合、ＡＵＸバス４９において、２つのＡＵＸサラウンド・モードに対応した２セットのサラウンドミキシングが異なるバスで行われるようにすればよい。
【００６１】
【発明の効果】
本発明は以上のように構成されているので、エフェクタが有するサラウンド・モードに応じたセンドレベルに調整して第２のバスに送り、第２のバスの出力を受けたエフェクタにおいてエフェクトを付与し、次いで、選択されたサラウンド・モードに応じた出力レベルに調整して第１のバスに送るようにしている。これにより、エフェクタにおいて選択されたサラウンド・モードが用意されていない場合でも、選択されたサラウンド・モードにおいてエフェクトを付与することができるようになる。
【００６２】
また、指定された定位位置に応じたレベル制御を各入力チャンネルに施して第１バスへ出力すると共に、定位フォローがオンである場合は、各入力チャンネルの送出レベルを指定されたサラウンドモードと当該チャンネルの定位位置に応じて制御して第２バスへ出力するようにしている。これにより、メイン出力用のサラウンドミキシングに連動して、エフェクトの入力等に使用できるもう１セットのミキシングが行なえるようになる。この場合、第１バスにおけるサラウンドモードと第２バスにおけるサラウンドモードとを独立して指定することができる。従って、第２のサラウンドモードに設定された第２バスからエフェクタに出力すると共にエフェクタから第１のサラウンドモードに設定された第１バスへ出力することにより、エフェクタにおいて第１のサラウンド・モードが用意されていない場合でも、第１バスからエフェクトが付与された第１のサラウンド・モードの信号を出力することができるようになる。
【図面の簡単な説明】
【図１】  本本発明の実施の形態のディジタル・ミキサと、ディジタル・ミキサに接続される周辺機器との構成を示すブロック図である。
【図２】  本発明の実施の形態にかかるディジタル・ミキサの構成を示すブロック図である。
【図３】  本発明にかかる図２に示す構成のディジタル・ミキサにおけるミキシング処理およびサラウンド処理が行われる等価的な機能ブロック図である。
【図４】  本発明の実施の形態にかかるディジタル・ミキサにおける入力チャンネルおよび出力チャンネルの構成を示す図である。
【図５】  本発明の実施の形態にかかるディジタル・ミキサにおいて各入力チャンネルにおける音像の２次元定位制御を行う時に表示器に表示される画面を示す図である。
【図６】  本発明の実施の形態にかかるディジタル・ミキサにおいて音像の２次元定位制御を行う際の定位軌跡を示す図である。
【図７】  本発明の実施の形態にかかるディジタル・ミキサにおいて、定位位置に応じたレベルを決定する原理を示す図である。
【図８】  本発明の実施の形態にかかるディジタル・ミキサにおいて、サラウンド・モード選択画面において５．１チャンネルを選択した際の画面を示す図である。
【図９】  発明の実施の形態にかかるディジタル・ミキサにおいて、サラウンド・モード選択画面において７．１チャンネルを選択した際の画面を示す図である。
【図１０】  本発明の実施の形態にかかるディジタル・ミキサにおけるサラウンド・モード設定処理のフローチャートである。
【図１１】  本発明の実施の形態にかかるディジタル・ミキサにおけるフォローサラウンドの設定画面を示す図である。
【図１２】  本発明の実施の形態にかかるディジタル・ミキサにおけるＡＵＸサラウンド・モード設定処理のフローチャート、フォローサラウンドオン処理のフローチャート、フォローサラウンドオフ処理のフローチャートである。
【図１３】  本発明の実施の形態にかかるディジタル・ミキサにおけるＭＩＸバスのサラウンド多チャンネルへの割当を示す図表である。
【図１４】  本発明の実施の形態にかかるディジタル・ミキサにおけるフォローサラウンドのオン／オフの設定を示す図表である。
【図１５】  本発明の実施の形態にかかるディジタル・ミキサにおけるＡＵＸバスのサラウンド多チャンネルへの割当を示す図表である。
【図１６】  サラウンド・モードとそのスピーカ配置を示す図である。
【図１７】  他のサラウンド・モードとそのスピーカ配置を示す図である。
【符号の説明】
１  ディジタル・ミキサ、２  マイク、３  マイク、４  楽器、５  楽器、６  ２４トラックレコーダ、７  ８トラックマスタレコーダ、８  ドライブ、９  外部エフェクタ、１０  アンプ、１１  スピーカ、２１  ＣＰＵ、２２  フラッシュメモリ、２３  ＲＡＭ、２４  信号処理部、２５  波形データインタフェース、２６  表示器、２７  電動フェーダ、２８  パネル操作子、２９  その他Ｉ／Ｏ、３０  バス、４０  アナログ入力ユニット、４１  ステレオアナログ入力ユニット、４２  ステレオディジタル入力ユニット、４３  内蔵エフェクタ、４４入力チャンネル部、４４  入力パッチ、４５  入力チャンネル部、４６  ＭＩＸバス、４７  ステレオバス、４８  ソロバス、４９  ＡＵＸバス、５０  ステレオ出力チャンネル部、５１  出力チャンネル部、５２  マトリックス出力チャンネル部、５３  出力パッチ、５４  アナログ出力ユニット、５５  ステレオアナログ出力ユニット、５６  ステレオディジタル出力ユニット、５８  モニタ用セレクタ、５９  モニタ用ミキサ、６０  モニタ用アナログ出力ユニット、７４フェーダ、７５  パン／サラウンドレベル制御部、７６  ＡＵＸセンドレベル制御部、８３  フェーダ、９０  定位軌跡選択ボタン、９１  ＷＩＤＴＨ、９２ＤＥＰＴＨ、９３  ＯＦＦＳＥＴ、９４  ＣＨ番号、１０１  バス番号、１０４  表示欄、１１１  バス番号、１１４  表示欄
【図１】
0004062905.tif 000002
【図２】
0004062905.tif 000003
【図３】
0004062905.tif 000004
【図４】
0004062905.tif 000005
【図５】
0004062905.tif 000006
【図６】
0004062905.tif 000007
【図７】
0004062905.tif 000008
【図８】
0004062905.tif 000009
【図９】
0004062905.tif 000010
【図１０】
0004062905.tif 000011
【図１１】
0004062905.tif 000012
【図１２】
0004062905.tif 000013
【図１３】
0004062905.tif 000014
【図１４】
0004062905.tif 000015
【図１５】
0004062905.tif 000016
【図１６】
0004062905.tif 000017
【図１７】
0004062905.tif 000018